(57)【要約】      （修正有） 【課題】住宅完成後に容易に事後的に設置できる建増しユニットを提供する。【解決手段】住宅の玄関前に住宅施工後に立設される建増しユニットであって、玄関口の外方であると共に上方に配設される屋根フレーム１２と、上記屋根フレームの先端部１３及び後端部１４に夫々接合され、設置面上に立設される一対の先端部側柱フレーム１６及び一対の後端部側柱フレームとを備える。さらに、上記屋根フレームと上記各柱フレームとの間に形成される一対の側方壁面部１８と、上記先端部側柱フレームの間に形成され、入口部１９を有する正面壁面部２０とを備え、上記屋根フレーム及び上記各柱フレームは金属製であると共に上記側方壁面部は繊維強化プラスチック材により形成されている。【選択図】図１
0003175238.tif 000002
【実用新案登録請求の範囲】
【請求項１】
住宅の玄関前に住宅施工後に立設される建増しユニットであって、玄関口の外方であると共に上方に配設される屋根フレームと、上記屋根フレームの先端部及び後端部に夫々接合され、設置面上に立設される一対の先端部側柱フレーム及び一対の後端部側柱フレームと、上記屋根フレームと上記各柱フレームとの間に形成される一対の側方壁面部と、上記先端部側柱フレームの間に形成され、入口部を有する正面壁面部とを備え、
上記屋根フレーム及び上記各柱フレームは金属製であると共に上記側方壁面部は繊維強化プラスチック材により形成されていることを特徴とする建増しユニット。
【請求項２】
上記屋根フレームは玄関口上方から前方へ向かって複数本配設され、上記屋根フレームには屋根材を構成する金属製板材が固定されることを特徴とする  請求項１記載の建増しユニット。
【請求項３】
上記各柱フレームは、鉄骨材又はステンレススチール材により形成されていることを特徴とする請求項１記載の建増しユニット。
【請求項４】
上記側方壁面部の一方には、内方に収納部が設けられていることを特徴とする請求項１記載の建増しユニット。
【請求項５】
上記入口部は引き戸により形成されていることを特徴とする請求項１記載の建増しユニット。
【請求項６】
上記収納部は、宅配ボックス及び生活用品の収納部であることを特徴とする  請求項２記載の建増しユニット。
【請求項７】
上記屋根フレームは住宅本体の玄関口に設けられた庇部の下部に設けられていることを特徴とする請求項１記載の建増しユニット。
【考案の詳細な説明】
【技術分野】
【０００１】
本考案は、建増しユニットに関する。
【背景技術】
【０００２】
一般に、住宅に居住し生活している間に、生活に必要な様々な日用品を購入して使用することから日用品が増え、そのような多数の日用品の収納部が必要となる。
【０００３】
この場合、一般的に、住宅の室内部に収納部を事後的に増設することは生活スペースとの関係から難しく、庭に物置を設置したり、又は必要に応じてトランクルームを借りて収納する場合もある。
【０００４】
しかしながら、近年、益々、建坪は狭くなり、庭のスペースを確保できない場合が多いと共に、一般的に、トランクルームは生活する住宅から離れた場所でなければ確保することは困難である。従って、生活必需品等を、居住する住宅から離れたトランクルームではなく、住宅に隣接した至近な場所で収納保管しておきたい、という要請があった。
【０００５】
このような事情から、一般の住宅においては、玄関スペースに様々な生活用品が置かれる場合が多く、玄関スペースは、置かれた物により非常に手狭で使い難い状態になっている場合が多かった。
【考案の開示】
【考案が解決しようとする課題】
【０００６】
本考案はこのような従来からの不具合を解決するためのものであって、その課題は、住宅完成後に容易に事後的に設置でき、生活用品を適宜収納して整理できる建増しユニットを提供することにある。
【課題を解決するための手段】
【０００７】
上記課題達成のため、請求項１記載の考案にあっては、  住宅の玄関前に住宅施工後に立設される建増しユニットであって、玄関口の外方であると共に上方に配設される屋根フレームと、上記屋根フレームの先端部及び後端部に夫々接合され、設置面上に立設される一対の先端部側柱フレーム及び一対の後端部側柱フレームと、上記屋根フレームと上記各柱フレームとの間に形成される一対の側方壁面部と、上記先端部側柱フレームの間に形成され、入口部を有する正面壁面部とを備え、上記屋根フレーム及び上記各柱フレームは金属製であると共に上記側方壁面部は繊維強化プラスチック材により形成されていることを特徴とする。
【０００８】
従って、請求項１記載の考案にあっては、上記屋根フレーム及び上記一対の先端部側柱フレーム及び後端部側柱フレームは金属製であると共に、上記側方壁面部は繊維強化プラスチック材により形成されていることから所定の強度を確保することができる。
【０００９】
請求項２記載の考案にあっては、上記屋根フレームは玄関口上方から前方へ向かって複数本配設され、上記屋根フレームには屋根材を構成する金属製板材が固定されることを特徴とする。
従って、請求項２記載の考案にあっては、屋根フレームには金属製板材が固定されていることから、より強度の大きな建増しユニットを提供することができる。
【００１０】
請求項３記載の考案にあっては、上記各柱フレームは、鉄骨材又はステンレススチール材により形成されていることを特徴とする。
【００１１】
請求項４記載の考案にあっては、上記側方壁面部の一方には、内方に収納部が設けられていることを特徴とする。
【００１２】
請求項５記載の考案にあっては、上記入口部は引き戸により形成されていることを特徴とする。
【００１３】
請求項６記載の考案にあっては、上記収納部は、宅配ボックス及び生活用品の収納部であることを特徴とする。
【００１４】
請求項７記載の考案にあっては、上記屋根フレームは住宅本体の玄関口に設けられた庇部の下部に設けられていることを特徴とする。
【００１５】
請求項８記載の考案にあっては、上記屋根フレームは住宅本体の玄関口に設けられた庇部よりも前出し、庇部よりも前出した前出部には屋根材が固定されていることを特徴とする。
【考案の効果】
【００１６】
請求項１記載の考案に係る建増しユニットにあっては、請求項１記載の考案にあっては、上記屋根フレーム及び上記一対の先端部側柱フレーム及び後端部側柱フレームは金属製であると共に、上記側方壁面部は繊維強化プラスチック材により形成されていることから所定の強度を確保することができるため、耐震性の大きな建増しユニットを提供することができる。
【００１７】
請求項２記載の考案にあっては、屋根フレームには金属製板材が固定されていることから、請求１記載の考案に効果に加えて、さらに耐震強度の大きな建て増しユニットを提供することができる。
【００１８】
請求項４記載の考案にあっては、上記各柱フレームは、鉄骨材又はステンレススチール材により形成されていることから、耐震性の大きな建増しユニットを提供することができる。
【００１９】
請求項５記載の考案にあっては、上記入り口は引き戸により構成されていることから、風の強い場合に、開きドアの場合には閉めにくい、という事態を回避することができ、入り口への出入りがしやすい建て増しユニットを提供することができる。
【００２０】
請求項６記載の考案にあっては、上記収納部は、宅配ボックス及び生活用品の収納部であることから、各種生活用品を収納できると共に、宅配ボックスを有効に利用できる建増しユニットが提供される。
【００２１】
請求項７記載の考案にあっては、上記屋根フレームは住宅本体の玄関口に設けられた庇部の下部に設けられていることから、上記庇により被覆された雨に強い建て増しユニットを提供することができる。
【図面の簡単な説明】
【００２２】
【図１】本考案に係る建て増しユニットに係る一実施の形態を示す縦断面図である。
【図２】本考案に係る建て増しユニットに係る一実施の形態を示す、図１の2―2線断面図である。
【図３】本考案に係る建て増しユニットに係る一実施の形態を示す正面図である。
【考案を実施するための最良の形態】
【００２３】
以下、添付図面に示す実施の形態に基づき、本考案を詳細に説明する。
図１及び図２に示すように、本実施の形態に係る建て増しユニット１０は、住宅の玄関前に住宅施工後に立設される建増しユニットとして構成されている。
【００２４】
本実施の形態にあっては、玄関口１１の外方であると共に上方に配設される屋根フレーム１２と、上記屋根フレーム１２の先端部１３及び後端部１４に夫々接合され、設置面１５上に立設される一対の先端部側柱フレーム１６、１６及び一対の後端部側柱フレーム１７、１７と、上記屋根フレーム１２と上記各柱フレーム１６、１７との間に形成される一対の側方壁面部１８、１８と、上記先端部側柱フレーム１６、１６の間に形成され、入口部１９を有する正面壁面部２０とを備えている。
【００２５】
本実施の形態に係る建て増しユニット１０は、全体略箱状に形成され、既設住宅２０の玄関口１１の外方において、例えば、タタキ２２の上方に設置されている。本実施の形態にあっては、既設住宅２０の玄関屋根２４の下面部に沿って６本の上記屋根フレーム１２が配設されており、中間部において下方に折曲形成されている。
【００２６】
上記屋根フレーム１２の先端部には上部に屋根材２５が固定されており、屋根材２５により６本の屋根フレーム１２は全体として固定されている。上記屋根フレーム１２の先端部は上記玄関屋根２４の傾斜角度と同一に形成されていることから、上記屋根材２５も玄関屋根２４と同一の角度で配置されている。
【００２７】
図１及び図２に示すように、上記屋根フレーム１２の先端部１３及び後端部１４には、設置面１５上に立設される一対の先端部側柱フレーム１６、１６及び一対の後端部側柱フレーム１７、１７が接合固定されている。本実施の形態にあっては、上記屋根フレーム１２、先端部側柱フレーム１６及び後端部側柱フレーム１７は鉄骨材により形成されている。
【００２８】
また、上記屋根フレーム１２と上記各柱フレーム１６、１７との間には、側方壁面部１８、１８が形成されると共に、上記先端部側柱フレーム１６、１６の間に形成され、入口部１９を有する正面壁面部２０とを備えている。本実施の形態にあっては、側方壁面部１８、１８及び正面壁面部２０は繊維強化プラスチックにより形成されている。
その結果、本実施の形態にあっては、上記屋根フレーム１２、各柱フレーム１６、１７が鉄骨材により形成される共に、側方壁面部１８、１８及び正面壁面部２０は繊維強化プラスチックにより形成されていることから、建て増しユニット１０そのものが所定の剛性及び耐震性を有するように構成されている。
【００２９】
図１及び図３に示すように、上記正面壁面部２０には、入口部１９が設けられており、本実施の形態にあっては、引き戸２７により構成されている。図３に示すように、先端部側柱フレーム１６、１６の間には引き戸受け部材２８、２８が上下に配設され、上部及び下部に配設された引き戸受け部材２８、２８の間を引き戸２７がスライドして開閉できるように構成されている。
【００３０】
上記一方の側方壁面部１８ａには、内方に収納部２６が設けられている。本実施の形態にあっては、図１及び図３に示すように、入り口側には宅配ボックス２９が配設されると共に、奥側には収納トランク３０が配設されており、宅配ボックス２９と収納トランク３０との間には中間柱３１が上端部が屋根フレーム１２に接合固定されて立設されている。
【００３１】
図１及び図２に示すように、上記宅配ボックス２９は、上記引き戸２７の高さ寸法と略同一の高さ寸方に形成され、外方ドア３２及び内方ドア３３を有している。また、収納トランク部３０は、高さ方向に３分割され、夫々、ドア３５により開閉可能に形成され、内部に様々な生活用品を分類して収納できるように構成されている。
【００３２】
また、他方の側方壁面部１８ｂには、メールボックス３８が設けられている。
図中符号３４は、屋根フレーム１２に取り付けられる照明器具を示す。符号３６は玄関ドアであって、玄関ドア３６は、建て増しユニット１０内部の空間３７内に開閉するように構成されている。
【００３３】
従って、本実施の形態に係る建て増しユニット１０にあっては、居住者及び訪問者は、まず、引き戸２７を引いて建て増しユニット１０内に入り、その後、玄関ドア３６を開閉することにより、住宅内へ出入りする。この場合、建て増しユニット１０は、風除室としても機能する。
【００３４】
また、上記のように収納部２６が設けられていることから、各種生活用品を収納トランク３０内に収納することができる。さらに、本実施の形態にあっては大型の宅配ボックス２９が設けられていることから、不在配達に対しても有効に対応することができる。
【００３５】
なお、本実施の形態にあっては、壁面部が繊維強化プラスチックにより形成されている場合を例に説明したが、上記実施の形態に限定されることはなく、例えば、ペアガラスにより形成してもよい。
側方壁面部をペアガラスにより形成した場合には、保温性の高い建て増しユニット１０を構成することができる。また、本実施の形態にあっては、各フレーム１６、１７が鉄骨材で形成されている場合を例に説明したが、上記実施の形態に限定されず、ステンレススチール材により形成されていてもよい。
【産業上の利用可能性】
【００３６】
本考案に係る建て増しユニットは、広く既設住宅の建て増しの際に利用されることから産業上の利用可能性を有している。
【符号の説明】
【００３７】
１０  建て増しユニット
１１  玄関口
１２  屋根フレーム
１３  先端部
１４  後端部
１５  設置面
１６  先端部側柱フレーム
１７  後端部柱フレーム
１８  側方壁面部
１９  入口部
２０  正面壁面部
２１  既設住宅
２２  タタキ
２３  家屋本体
２４  玄関屋根
２５  屋根材
２６  収納部
２７  引き戸
２８  引き戸受け部材
２９  宅配ボックス
３０  収納トランク部
３１  中間柱
３２  外方ドア
３３  内方ドア
３４  照明器具
３５  ドア
３６  玄関ドア
３７  空間
３８  メールボックス
【図１】
0003175238.tif 000003
【図２】
0003175238.tif 000004
【図３】
0003175238.tif 000005